(57)【特許請求の範囲】
【請求項１】
合成樹脂製シートを二つ折りして表裏のシート部分を形成し、当該シートの折り曲げ縁部に連なる一つの縁部を閉塞して底部とし、他の二つの縁部は開放した構成の書類等収納用ホルダーにおいて、
前記両シート部分のうちの少なくとも一つの内面に、内側縁部と上側縁部とが開放されかつ外側縁部と下側縁部とが閉塞されかつ当該内側縁部が当該両シート部分の折り曲げ縁部に接近したポケット部を設けたことを特徴とする書類等収納用ホルダー。
【請求項２】
合成樹脂製シートを二つ折りして表裏のシート部分を形成し、当該シートの折り曲げ縁部に連なる一つの縁部を閉塞して底部とし、他の二つの縁部は開放した構成の書類等収納用ホルダーにおいて、
前記両シート部分のうちの少なくとも一つの内面に、内側縁部と上側縁部と下側縁部とが開放されかつ外側縁部が閉塞されかつ当該内側縁部が当該両シート部分の折り曲げ縁部に接近したポケット部を設けたことを特徴とする書類等収納用ホルダー。
【発明の詳細な説明】
【０００１】
【発明の属する技術分野】
本発明は、パンフレット，カタログ，写真等の書類や薄型物品（フレキシブルディスク等）を収納可能な書類等収納用ホルダーに関する。
【０００２】
【従来技術】
書類等収納用ホルダーは、書類や薄型物品（封筒，葉書，フレキシブルディスク等）を簡単に収納できるとともに、書類等を収納した状態で持ち運びも楽に行えるところから、職場や一般家庭等で広く使われている。
【０００３】
図３および図４に書類等収納用ホルダーの従来構成を示す。
【０００４】
かかる書類等収納用ホルダー１Ｐは、合成樹脂製シート１０Ｐを二つ折りして表裏のシート部分（１１，２１）を形成し、当該シート１０Ｐの折り曲げ縁部１０ａに連なる一つの縁部１０ｂを閉塞して底部とし、他の二つの縁部（外側縁部１０ｃ、上側縁部１０ｄ）は開放した構成とされている。なお、合成樹脂製シート１０Ｐは、透明または半透明とされているのが一般的である。
【０００５】
上記構成の書類等収納用ホルダー１Ｐでは、図４に示すように、表側のシート部分１１を捲れば裏側のシート部分２１との間を大きく開放することができる。そのため、両シート部分（１１，２１）の間に書類等（書類Ｐ，フレキシブルディスク等の薄型物品Ｔ）を簡単に差し込んで収納できる。また、上記ホルダー１Ｐに収納された書類等（Ｐ，Ｔ）の取り出しも、表側（または裏側）のシート部分（１１又は２１）を捲ることにより簡単に行える。
【０００６】
【発明が解決しようとする課題】
ところで、上記書類等収納用ホルダー１Ｐでは、カタログ等の書類Ｐとフレキシブルディスク等の薄型物品Ｔとが混在した状態で収納されることがある。かかる場合には、例えば薄型物品Ｔがカタログの中に入り込んでしまうなどして、見つけ出すのに大変手間が掛かることがある。
【０００７】
また、上記ホルダー１Ｐを持ち運ぶ場合などに、フレキシブルディスク等の薄型物品Ｔが開放縁部（１０ｃ又は１０ｄ）から抜け出てしまい、紛失したり損傷することがある。通常、書類等収納用ホルダー１Ｐは、底部（１０ｂ）を下側にした状態で持ち運ばれるので、外側縁部１０ｃから薄型物品Ｔが抜け出てしまうことが多い。
【０００８】
本発明の目的は、簡単な構成で書類や薄型物品を区分けして収納可能で薄型物品等が抜け出てしまうのを阻止できる書類等収納用ホルダーを提供することにある。
【０００９】
【課題を解決するための手段】
上記目的を達成するために、請求項１の発明は、合成樹脂製シートを二つ折りして表裏のシート部分を形成し、当該シートの折り曲げ縁部に連なる一つの縁部を閉塞して底部とし、他の二つの縁部は開放した構成の書類等収納用ホルダーにおいて、前記両シート部分のうちの少なくとも一つの内面に、内側縁部と上側縁部とが開放されかつ外側縁部と下側縁部とが閉塞されかつ当該内側縁部が当該両シート部分の折り曲げ縁部に接近したポケット部を設けたことを特徴とするものである。
【００１０】
上記構成の請求項１の発明では、両シート部分のうちの一つ（例えば表側のシート部分）の内面にポケット部が形成された場合には、書類や薄型物品を二つに区分けして収納することができる。例えば、表側のシート部分の内面に形成されたポケット部に薄型物品を差込み、当該ポケット部と裏側のシート部分との間に書類を差し込むことができる。
【００１１】
この際、ポケット部は、その内側縁部と上側縁部とが開放されているので大きく捲りやすく、円滑かつ容易に薄型物品を差し込むことができる。また、ポケット部と裏側のシート部分との間も大きく開放できるので、簡単に書類を差し込むことができる。
【００１２】
こうして、書類と薄型物品とが収納された書類等収納用ホルダーを持ち運ぶ際には、その底部が下側となるような姿勢とされることが多い。ここで、薄型物品が持ち運び時の衝撃等によって外側へ移動した場合、当該ポケット部の閉塞された外側縁部によって強制的に停止される。また、薄型物品が内側へ移動した場合には、当該薄型物品はシートの折り曲げ縁部によって強制停止される。また、薄型物品が下側へ移動した場合には、当該薄型物品は下側縁部によって強制停止される。
【００１３】
したがって、薄型物品がポケット部から抜け出てしまうのを阻止できる。なお、ポケット部に書類を収納した場合には、上記した場合と同様な理由で当該書類が抜け出てしまうのを阻止できる。
【００１４】
以上から、簡単な構成で書類や薄型物品を区分けして収納可能で薄型物品等が抜け出てしまうのを効果的に阻止できる。
【００１５】
同様に、両シート部分（表側のシート部分、裏側のシート部分）の内面にポケット部が形成された場合には、書類や薄型物品を三つに区分けして収納することができるとともに、薄型物品等が抜け出てしまうのを効果的に阻止できる。
【００１６】
請求項２の発明は、合成樹脂製シートを二つ折りして表裏のシート部分を形成し、当該シートの折り曲げ縁部に連なる一つの縁部を閉塞して底部とし、他の二つの縁部は開放した構成の書類等収納用ホルダーにおいて、前記両シート部分のうちの少なくとも一つの内面に、内側縁部と上側縁部と下側縁部とが開放されかつ外側縁部が閉塞されかつ当該内側縁部が当該両シート部分の折り曲げ縁部に接近したポケット部を設けたことを特徴とするものである。
【００１７】
上記構成の請求項２の発明では、請求項１の発明の場合と同様に、簡単な構成で書類や薄型物品を区分けして収納可能で薄型物品等が抜け出てしまうのを効果的に阻止できる。また、ポケット部の三縁部（内側縁部，上側縁部，下側縁部）を閉塞しなくても済むので、一段と迅速かつ容易に製造できる。
【００１８】
なお、ポケット部の下側縁部を閉塞しなくとも、当該下側縁部がシート底部近くに位置するようにポケット部を形成すれば、薄型物品等の下向きの移動を当該シート底部が規制する。したがって、薄型物品等がホルダー外部へ抜け出てしまうのを阻止できる。
【００１９】
また、請求項３の発明は、 前記合成樹脂製シートが透明または半透明とされるとともに、前記ポケット部が不透明状態となるように構成されたものである。
【００２１】
【発明の実施の形態】
本発明の実施の形態を図面を参照しながら説明する。
【００２２】
本発明に係る書類等収納用ホルダー１は、図１および図２に示すように、基本的構成は従来例（図３，図４）と同様であるが、表裏のシート部分（１１，２１）のうちの少なくとも一つの内面に、内側縁部３２と上側縁部３３とが開放されかつ外側縁部３４と下側縁部３５とが溶着や接着等によって閉塞されたポケット部３１を設けた構成とされている。また、外側縁部３４は、外側縁部１０ｃと折り曲げることによって外側縁部となるように閉塞することもできる。
【００２３】
ここにおいて、ポケット部３１の内側縁部３２とは、シート１０の折り曲げ縁部１０ａと対向する縁部である。また、ポケット部３１の下側縁部３５とは、シート１０の底部（１０ｂ）と対向する縁部である。また、ポケット部３１の外側縁部３４とは、シート１０の外側縁部１０ｃと対向する縁部である。また、ポケット部３１の上側縁部３３とは、シート１０の上側縁部１０ｄと対向する縁部である。
【００２４】
なお、図３および図４に示す従来例と共通する構成要素については同一の符号を付し、その説明を簡略または省略する。
【００２５】
本書類等収納用ホルダー１では、合成樹脂製シート１０〔表裏のシート部分（１１，２１）〕が透明または半透明の合成樹脂材料で形成されるとともに、ポケット部３１が不透明状態となるように構成されている。
【００２６】
ここで、「ポケット部３１が不透明状態となるように構成された」とは、当該ポケット部３１が不透明の材料で形成された場合はもとより、色付き透明材料で形成されているが合成樹脂製シート１０の色との関係で不透明状態となる場合も含む。例えば、ポケット部３１が赤色付き透明樹脂材料で形成され、合成樹脂製シート１０が青色付き透明樹脂材料製とされた場合には、当該ポケット部３１は不透明状態となる。かかる構成とすることにより、外側から見られたくない書類等（Ｐ，Ｔ）をポケット部３１によって目隠しすることができる。
【００２７】
また、この実施形態では、本書類等収納用ホルダー１は、Ａ４サイズとされている。なお、書類等収納用ホルダー１は、Ａ４サイズ以外のサイズでもよい。このホルダー１の底部１０ｂは、全体または大部分が溶着や接着等されて閉塞されている。また、ポケット部３１は、表側のシート部分１１の内面１１ｉに形成されている。このポケット部３１は、合成樹脂製シート１０と同一種類の樹脂材料で形成されている。ポケット部３１の下側縁部３５は、単独で閉塞処理してもよいが、シート底部（１０ｂ）と一緒に溶着等して閉塞するようにしてもよい。これにより、工数が減少して、一段と迅速かつ容易に製造できることになる。
【００２８】
上記構成の書類等収納用ホルダー１では、書類Ｐや薄型物品Ｔを二つに区分けして収納することができる。例えば、ホルダー１のポケット部３１に薄型物品Ｔを差込み、当該ポケット部３１と裏側のシート部分２１との間に書類Ｐを差し込んで、それぞれ確実に収納することができる。
【００２９】
この際、ポケット部３１は、その内側縁部３２と上側縁部３３とが開放されているので、図２中２点鎖線で示すように大きく捲りやすく、円滑かつ容易に薄型物品Ｔを差し込むことができる。また、ポケット部３１と裏側のシート部分２１との間も、図２に示すように大きく開放できるので、簡単に書類Ｐを差し込むことができる。
【００３０】
こうして、書類Ｐと薄型物品Ｔとが収納された書類等収納用ホルダー１を持ち運ぶ際には、その底部１０ｂが下側となるような姿勢とされることが多い。ここで、薄型物品Ｔが持ち運び時の衝撃等によって外側へ移動した場合、当該ポケット部３１の閉塞された外側縁部３４によって強制的に停止される。また、薄型物品Ｔが内側へ移動した場合には、当該薄型物品Ｔはシート１０の折り曲げ縁部１０ａによって強制停止される。また、薄型物品Ｔが下側へ移動した場合には、当該薄型物品Ｔは下側縁部３５によって強制停止される。
【００３１】
したがって、薄型物品Ｔがポケット部３１から抜け出てしまうのを効果的に阻止できる。なお、ポケット部３１に書類Ｐを収納した場合には、上記した場合と同様な理由で当該書類Ｐが抜け出てしまうのを阻止できる。一方、ポケット部３１に収納された書類等（Ｐ，Ｔ）の取り出しも、当該ポケット部３１の内側縁部３２と上側縁部３３とを大きく捲ることにより簡単に行える。
【００３２】
以上から、簡単な構成で書類Ｐや薄型物品Ｔを区分けして収納可能で薄型物品Ｔ等が抜け出てしまうのを効果的に阻止できる。
【００３３】
なお、上記実施形態では、ポケット部３１を表側のシート部分１１の内面１１ｉにのみ形成したが、裏側のシート部分２１の内面にも形成してもよい。これにより、書類等（Ｐ，Ｔ）を三つに区分けして収納できるとともに、薄型物品Ｔ等をポケット部（３１，３１）に収納することにより抜け出てしまうのを効果的に阻止できる。
【００３４】
また、ポケット部３１の外側縁部３４と下側縁部３５とを閉塞したが、下側縁部３５を閉塞せずに開放するように構成してもよい。これにより、ポケット部３１の三縁部（内側縁部３２，上側縁部３３，下側縁部３５）を閉塞しなくても済むので、一段と迅速かつ容易に製造できる。
【００３５】
なお、ポケット部３１の下側縁部３５を閉塞しなくとも、当該下側縁部３５がシート底部（１０ｂ）近くに位置するように当該ポケット部３１を形成すれば、薄型物品Ｔ等の下向きの移動を当該シート底部（１０ｂ）が規制する。したがって、薄型物品Ｔ等がホルダー１外部へ抜け出てしまうのを阻止できる。
【００３６】
また、ポケット部３１を不透明状態としたが、透明または半透明状態としてもよい。
【００３７】
【発明の効果】
請求項１の発明によれば、表裏のシート部分のうちの少なくとも一つの内面に、内側縁部と上側縁部とが開放されかつ外側縁部と下側縁部とが閉塞されたポケット部を設けたので、簡単な構成で書類や薄型物品を区分けして収納可能で、薄型物品等が抜け出てしまうのをポケット部によって阻止できる。
【００３８】
請求項２の発明によれば、表裏のシート部分のうちの少なくとも一つの内面に、内側縁部と上側縁部と下側縁部とが開放されかつ外側縁部が閉塞されたポケット部を設けたので、簡単な構成で書類や薄型物品を区分けして収納可能で、薄型物品等が抜け出てしまうのをポケット部によって阻止できる。また、ポケット部の三縁部（内側縁部，上側縁部，下側縁部）を閉塞しなくても済むので、一段と迅速かつ容易に製造できる。
【図面の簡単な説明】
【図１】本発明の実施形態を説明するための図である。
【図２】同じく、書類や薄型物品を収納する方法を説明するための図である。
【図３】書類等収納用ホルダーの従来構成を説明するための図である。
【図４】同じく、書類や薄型物品を収納する方法を説明するための図である。
【符号の説明】
１    書類等収納用ホルダー
１０    シート
１０ａ  折り曲げ縁部
１０ｂ  下側縁部
１０ｃ  外側縁部
１０ｄ  上側縁部
１１    表側のシート部分
２１    裏側のシート部分
３１    ポケット部
３２    内側縁部
３３    上側縁部
３４    外側縁部
３５    下側縁部
【図１】
0003860439.tif 000002
【図２】
0003860439.tif 000003
【図３】
0003860439.tif 000004
【図４】
0003860439.tif 000005